【事件の表示】
　特願２００２−２０１０４０号「髪ケア装置」拒絶査定不服審判事件〔平成１５年６月３日出願公開，特開２００３−１５９１１４号〕について，次のとおり審決する。
【結　論】
　本件審判の請求は、成り立たない。
【理　由】
１．手続の経緯
 平成１４年　７月１０日 特許出願（優先権主張　平成１３年９月１３日）
 平成１５年　７月　２日 拒絶査定（発送：平成１５年　７月　８日）
 平成１５年　８月　７日 審判請求
 平成１５年　９月　８日 手続補正
　
２．本願発明
　本願の特許請求の範囲の請求項１に係る発明（以下，「本願発明」という。）は，平成１５年９月８日付けの手続補正書により補正された明細書及び図面からみて，その特許請求の範囲の請求項１に記載された事項により特定される，以下のとおりのものである。
「髪を加熱挟持する髪ケア装置であって，放電でマイナスイオンを発生するマイナスイオン発生装置を具備し，髪を加熱挟持する挟持面に，スチームを放出するスチーム放出口と，マイナスイオン発生装置で発生したマイナスイオンを放出するイオン放出口とを開口し，このイオン放出口に臨む位置にマイナスイオン発生装置のイオン電極を配設したことを特徴とする髪ケア装置。」
　　
３．引用例及びその記載事項
（１）原査定の拒絶の理由に引用された特開平８−２９９０４５号公報（以下，「引用例１」という。）には，次の事項が記載されている。
ア．「本実施例におけるスチームヘアーセッターは，図１乃至図６に示すように，スチーム発生機構２を内蔵しているヘッド部４と，回路を内蔵しており使用時に保持する部分であると共に先部下面側にヘアーセット部が設けられたハンドル３とから成るスチームヘアーセッター本体１と，本体１の先端側に着脱可能であり，スチーム発生機構２へ水を供給する手段であるタンク６と，本体１のタンク６とは反対側の端部に支持されて本体１に対して開閉操作自在となり，且つ先部にヘアーセット部が設けられる基台７と，基台７の本体１側から見て裏面側に着脱自在に装着されるブラシ８とを備える。そして，タンク６からフェルト９を介してヒータパイプ１０へ供給された水は，ヒータパイプ１０により加熱されて蒸気化し，この部分で発生したスチームは，スチーム発生機構２に設置された放電電極１１間の放電により，弱酸性化し，その粒子は微細化されて本体１のスチーム噴出孔１２から放出されるようになっている。ここで，図１〜図３，図８，図１１〜図１９は本体１のヘッド部４と基台７との間に毛髪１５（以下「髪」と略称する。）を挟んで癖直しを行なう場合を示しており，図４〜図７及び図９，図１０は本体１にブラシ８を装着してブラッシングにより髪の癖直しを行なう場合を示している。」（段落【０００７】）
イ．「図３において，本体１のヘッド部４における髪と接する側には，その中央部にスチームが噴出するスチーム噴出孔１２が形成され，スチーム噴出孔１２の上方にはスチーム室５が形成され，前記スチーム噴出孔１２の両外側に押さえ板１６が夫々設置され，さらに押さえ板１６の両外側に複数本のブリスル１７が夫々設置されている。一方，基台７にも，本体１の押さえ板１６及びブリスル１７に夫々対向する位置に同様な押さえ板１６とブリスル１７とが夫々設置されている。また，本体１側の押さえ板１６は，スチーム噴出孔１２が形成されている面と同じ材質，例えばアルミニウム等の金属で一体形成されており，スチームにより加熱されると共に，押さえ板１６の端部はヒータパイプ１０と接触しており，ヒータパイプ１０によって直接加熱されるので，押さえ板１６を髪に接触して加熱するアイロン部として使用できるものである。」（段落【０００８】）
ウ．「図１〜図３に示すように，ブラシ８を装着せず，本体１と基台７との間に髪を挟み込み，両者１，７を閉じた状態で，スチームを発生させると，本体１のスチーム噴出孔１２からスチームが噴出する。この状態でスチームヘアーセッターを図３の矢印方向に移動させると，髪はブリスル１７→押さえ板１６→スチーム噴出孔１２→押さえ板１６→ブリスル１７の順で通過する。このとき，髪は最初にブリスル１７により櫛通しされてブリスル１７と直交する方向の癖が矯正される。次に，ブリスル１７を通過した後の髪は押さえ板１６によりプレスされる。このとき，押さえ板１６は直立方向と略直角の面で髪をプレスするので，ブリスル１７を通過してしまうような髪のブリスル１７の直立方向の癖，曲がりを伸ばすことができる。しかも，押さえ板１６はスチームで加熱されているので，癖直しが効果的に行なわれる。そして，この押さえ板１６を通過した髪は，スチーム噴出孔１２の上方に達してスチームが当てられ，吸水されるので，ブリスル１７，押さえ板１６で伸ばされた状態でスチームによってさらに伸ばされ，その後，スチーム噴出孔１２を通過した髪は押さえ板１６で再びプレスされ，ブリスル１７で再び櫛通しされる。このとき，髪はスチームで吸水された直後に，加熱された押さえ板１６（アイロン部）にて加熱されるので，髪の癖が取れて伸びたままの状態で乾燥され，ストレートの状態が長く保持され，自然乾燥により癖が戻ることがなくなる。さらに，ブリスル１７による癖伸ばしと押さえ板１６による毛伸ばしとを同時に行なうことができ，しかもスチームで吸水された直後の髪を加熱することによって，髪の癖が取れて伸びたままの状態で乾燥させることができるので，自然乾燥により癖が戻るのをより確実に防止でき，ストレートの状態をより長く持続することができるものである。」（段落【０００９】）
エ．「スチームを高圧放電でイオン化する商品にあっては，吸水気化フェルト６１とヒータパイプ１０の接触面の近傍，もしくは接触面とスチーム噴出孔１２の間に放電電極６３を配置することにより再スチーム化したスチームもイオン化することができる。」（段落【００２０】）
オ．【図１】及び【図３】には，スチームヘアーセッターにおいて，髪を挟み込み加熱する面に，スチームを噴出するスチーム噴出孔１２を開口した点が示されている。
　
　してみれば，引用例１には，次の発明（以下，「引用発明１」という。）が記載されていると認められる。
「髪を挟み込み加熱するスチームヘアーセッターであって，髪を挟み込み加熱する面に，スチームを噴出するスチーム噴出孔１２を開口したスチームヘアーセッター。」
　
（２）同じく，原査定の拒絶の理由に引用された登録実用新案第３０１６４７３号公報（以下，「引用例２」という。）には，次の事項が記載されている。
ア．「蒸気発生手段と，霧発生手段と，当該両手段により発生させた蒸気と霧を混合して給送する手段を備えた理美容院用加湿装置において，蒸気と霧の混合手段の蒸気と霧の混合物の吐出口より給送経路の下流側に温風発生手段と，オゾン又はイオン発生手段を設け，蒸気と霧の混合手段の蒸気と霧の混合物の吐出口と温風発生手段の温風吐出口とオゾン又はイオン発生手段のオゾン又はイオン吐出口にそれぞれの吐出口の閉塞手段を有し，温風発生手段と蒸気と霧の混合物を給送する管路とを連通する通路及びオゾン又はイオン発生手段と蒸気と霧の混合物を給送する管路とを連通する通路並びに温風発生手段とオゾン又はイオン発生手段とを連通する通路を設けると共に，蒸気と霧の混合手段，温風発生手段並びにオゾン又はイオン発生手段のそれぞれに吹出口を備えることを特徴とする理美容院用加湿装置。」（実用新案登録請求の範囲【請求項１】）
イ．「オゾン又はイオン発生機３０は，オゾン又はイオン球などによるオゾン又はイオン化装置３１と発生したオゾン又はイオンを外部に給送するポンプ３２と，オゾン又はイオン発生機３０の上部に開口部を穿設し，ここにオゾン又はイオン吐出口３３を設ける。オゾン又はイオン吐出口３３には，オゾン又はイオンの給送経路下流に設けられたオゾン又はイオン吹出口３４の外に混合タンク５の蒸気と霧の混合物の吐出口２０に接続する接続管３５と温風発生機２４の温風吐出口２７に接続する接続管３６がそれぞれ接続されている。上記オゾン又はイオン吐出口３３には，オゾン又はイオン吹出口３４に連なる管路を閉塞する閉塞板３７と，蒸気と霧の混合物の吐出口２０に連なる管路を閉塞する閉塞板３８と，温風発生機２４の温風吐出口２７に連なる管路を閉塞する閉塞板３９とが各設けられている。」（段落【００２８】）
ウ．「吹出口４２からは，温風吐出口２７の閉塞板２９とオゾン又はイオン吐出口３３の閉塞板３８の両方を閉塞状態にすることにより，蒸気と霧の混合物のみが給送経路に流入し，蒸気と霧の混合物のみが吹出される。次に温風吐出口２７の閉塞板２９のみを閉塞状態にすることにより，蒸気と霧の混合物とオゾン又はイオンが給送経路に流入し，蒸気と霧の混合物とオゾン又はイオンとが一体となって吹出口４２から吹出される。」（段落【００３０】）
エ．図１には，蒸気発生機４に接続された混合タンク５から吹出口４２に連通する給送経路（以下，「蒸気給送経路」という。），イオン発生機３０からイオン吐出口３３を通ってイオン吹出口３４に連通する給送経路（以下，「イオン給送経路」という。）を設け，吹出口４２とイオン吹出口３４とをそれぞれ並設し，イオン吹出口３４に臨む位置にイオン発生機３０を配設する点が図示されている。
　
　上記記載事項「第２　３．（２）イ．」ないし「第２　３．（２）エ．」によれば，閉塞板２９，３７，３８，３９の作動により，蒸気給送経路を介して吹出口４２から蒸気のみを，また，イオン給送経路を介してイオン吹出口３４からイオンのみを給送できることは明白である。
　してみれば，引用例２には，次の発明（以下，「引用発明２」という。）が記載されているといえる。
「蒸気発生機４及びイオン発生機３０を備えた理美容院用加湿装置において，蒸気給送経路を介して蒸気と霧の混合物を吹き出す吹出口４２と，イオン給送経路を介してイオンを吹き出すイオン吹出口３４とをそれぞれ並設し，このイオン吹出口３４に臨む位置にイオン発生機３０を配設した理美容院用加湿装置。」
　　　
４．対比
　本願発明と引用発明１を対比するに，後者の「髪を挟み込み加熱する」は，その機能及び作用からみて，前者の「髪を加熱挟持する」に相当し，以下同様に，後者の「スチームヘアーセッター」は前者の「髪ケア装置」に，後者の「面」は前者の「挟持面」に，後者の「噴出」は前者の「放出」に，後者の「スチーム噴出孔１２」は前者の「スチーム放出口」にそれぞれ相当する。
　してみれば，本願発明と引用発明１とは，「髪を加熱挟持する髪ケア装置であって，髪を加熱挟持する挟持面にスチームを放出するスチーム放出口を開口する髪ケア装置。」である点で一致し，次の各点で相違する。
　
（相違点）
　本願発明においては，放電でマイナスイオンを発生するマイナスイオン発生装置を具備し，マイナスイオン発生装置で発生したマイナスイオンを放出するイオン放出口を開口し，このイオン放出口に臨む位置にマイナスイオン発生装置のイオン電極を配設したのに対し，引用発明においてはそうでない点。
　　
５．判断
　引用発明２には，蒸気発生機４及びイオン発生機３０を備えた理美容院用加湿装置において，蒸気給送経路を介して蒸気と霧の混合物を吹き出す吹出口４２と，イオン発生機３０を内部に設けたイオン給送経路を介してイオンを吹き出すイオン吹出口３４とをそれぞれ並設し，このイオン吹出口３４に臨む位置にイオン発生機３０を配設することが示されている。
　また，髪のトリートメントにマイナスイオンが用いられることは従来周知の事項（登録実用新案第３０４７３５２号公報，特開平１０−２０１５３７号公報，特開平９−２７８６３２号公報を参照。）であり，さらに，電極板による放電でマイナスイオンを発生可能であることも従来周知の事項（特開平１０−２９５４３２号公報を参照。）である。
　してみると，引用発明２や上記従来周知の事項を踏まえ，引用発明１において，放電でマイナスイオンを発生するマイナスイオン発生機を具備するとともに，スチーム噴出孔１２に加え，マイナスイオンを放出する吹出口（開口）を設け，この吹出口に臨む位置にマイナスイオン発生機（電極）を配設することは，当業者の容易に想到し得ることである。
　よって，引用発明１，２及び上述の従来周知の事項に基づいて，上記相違点に係る本願発明の発明特定事項とすることは当業者が容易なし得るものである。
　
　上記相違点によって，本願発明が奏する作用，効果も，引用発明１，２及び従来周知の事項から予測される範囲のものであって，格別なものとは認められない。
　　
６．むすび
　以上のとおり，本願発明は，引用発明１，２及び上述した従来周知の事項に基づいて当業者が容易に発明をすることができたものであるから，特許法第２９条第２項の規定により，特許を受けることができない。
　よって，結論のとおり審決する。